(57)【特許請求の範囲】
【請求項１】
主回路の入切をするための主接点と、該主接点を駆動するための駆動装置と、主回路電流を通電するための主回路通電部と、該主回路通電部と配電盤内の主回路とを着脱自在にするための接続部と、引出形回路遮断器を移動するための移動装置と、配電盤内に収納された引出形回路遮断器を所定の位置で固定するためのインターロック装置とを備えた引出形回路遮断器において、
前記インターロック装置は、引出形回路遮断器の引外し機構部と連結した引外しボタンと、昇降自在に配置されたインターロックロッドとを備え、
前記インターロックロッドは、該インターロックロッドと一体に構成され、該インターロックロッドを前記引出形回路遮断器の固定位置及び移動可能位置に移動させるインターロックピンを備え、かつ、前記インターロックピンは、前記移動装置に固定されているインターロックピン金具の正面に形成されているコの字形の穴を移動することで、引出形回路遮断器の移動可能位置及び固定位置に移動するものであり、
前記引外しボタンを操作して引出形回路遮断器を切状態にしない限り、前記引外しボタンにより機械的に前記インターロックロッドの上昇操作が阻止されることで、配電盤床面若しくは配電盤床面に固定された部材と前記インターロックロッドが機械的に干渉し、配電盤内の所定の位置で前記引出形回路遮断器を固定すると共に、前記インターロックピン金具の正面に形成されているコの字形の穴の上部に前記インターロックロッドが位置しているとき、前記引外しボタンと前記インターロックロッドが機械的に干渉することで前記引外しボタンが常に操作された状態となり、切状態を継続することを特徴とする引出形回路遮断器。
【請求項２】
請求項１に記載の引出形回路遮断器において、
前記インターロックピン金具の正面に形成されているコの字形の穴の下部に前記インターロックロッドが位置しているときは、前記引外しボタンは、前記インターロックロッドと機械的に干渉していないことを特徴とする引出形回路遮断器。
【請求項３】
請求項１又は２に記載の引出形回路遮断器において、
前記インターロックロッドは、配電盤床面若しくは配電盤床面に固定された部材と干渉することにより、配電盤主回路と前記引出形回路遮断器の接続部が接続された運転位置、配電盤主回路と遮断器接続部が必要な絶縁距離を確保した断路位置及び配電盤外でのみ下方に位置することを特徴とする引出形回路遮断器。
【請求項４】
請求項１乃至３のいずれかに記載の引出形回路遮断器において、
引出形回路遮断器の正面には、前記引外しボタン、インターロックロッド、インターロックピンが配置されていることを特徴とする引出形回路遮断器。
【請求項５】
盤内に設置されている主回路ケーブル主回路導体、主回路母線、主回路端子接続部を備え、前記主回路端子接続部と電気的に着脱自在で、かつ、運転位置及び断路位置に移動可能な引出形回路遮断器を収納している配電盤において、
前記引出形回路遮断器は、請求項１乃至４のいずれかに記載の引出形回路遮断器であることを特徴とする配電盤。
【請求項６】
請求項５に記載の配電盤において、
前記主回路端子接続部と前記引出形回路遮断器の接続端子との電気的な接続が開放されたときに、両者の間を塞ぐシャッターを備えていることを特徴とする配電盤。
【発明の詳細な説明】
【技術分野】
【０００１】
本発明は引出形回路遮断器及び配電盤に係り、特に、電気回路の電流を投入、遮断するための引出形回路遮断器の配電盤内における適切な位置での固定及び引出形回路遮断器の入状態におけるせりだし、誤引出しを防止するために設けられているインターロック装置を備えているものに好適な引出形回路遮断器及び配電盤に関する。
【背景技術】
【０００２】
一般に、引出形回路遮断器は、電気回路において電源と負荷との間に接続され、主回路電流の入切に使用される遮断器の一種であり、配電盤内に収納、固定された状態で使用される。
【０００３】
この引出形回路遮断器は、主回路の入切をするための主接点、主接点を駆動するための駆動装置、主回路電流を通電するための主回路通電部、引出形回路遮断器の主回路通電部と配電盤内の主回路とを着脱自在にするための接続部、引出形回路遮断器を移動するための移動装置および配電盤内に収納された引出形回路遮断器を適切な位置で固定するためのインターロック装置などから概略構成される。
【０００４】
運用においては、通常、配電盤内の主回路と引出形遮断器の接続部が適切に接続される運転位置で、インターロック装置により引出形回路遮断器は固定される。
【０００５】
これにより、配電盤内の主回路と引出形回路遮断器の接続部、通電部及び主接点が主回路を構成し、引出形回路遮断器の主接点を入切することで電源から負荷への電力の供給および遮断を実施している。
【０００６】
また、従来のインターロック装置としては、特許文献１に記載されているものがあり、この特許文献１に記載されているインターロック装置は、インターロックロッド、インターロックスイッチ、制御基板等を有しており、インターロックロッドの動作により、インターロックスイッチが制御基板に入力される投入指令を強制的に遮断することを特徴としている。
【先行技術文献】
【特許文献】
【０００７】
【特許文献１】特開２００６−５９８２３号公報
【発明の概要】
【発明が解決しようとする課題】
【０００８】
ところで、引出形回路遮断器が入状態のときに引出形回路遮断器を運転位置から移動させたり、運転位置に移動させたりすると、配電盤内の主回路と引出形回路遮断器の接続部間にアークが発生し、機器に深刻な損傷を与えたり、最悪の場合には変電所の火災等に至る可能性がある。
【０００９】
そのため、配電盤内の主回路と引出形回路遮断器の接続が適切に接続された運転位置、配電盤内の主回路と引出形回路遮断器の接続部が必要な絶縁距離を確保した断路位置で確実に固定されること、引出形回路遮断器を運転位置から移動させるとき及び運転位置に移動させるときは必ず切状態であること、引出形回路遮断器が運転位置、断路位置以外に配置しているときは常に切状態が継続することの３点が非常に重要であり、インターロック装置により、それらの機能を満足させる必要がある。
【００１０】
インターロック装置が、これらの機能を満足していない場合、入状態の引出形回路遮断器の振動によるせり出し、誤引出しおよび誤挿入により、前述の機器損傷や変電所の火災に至る可能性がある。
【００１１】
しかしながら、特許文献１に記載されているインターロック装置には、上記の点については全く記載されていない。
【００１２】
本発明は上述の点に鑑みなされたもので、その目的とするところは、電気回路の電流を投入、遮断するための引出形回路遮断器の配電盤内における適切な位置での固定は勿論、入状態の引出形回路遮断器の振動によるせり出し、誤引出しおよび誤挿入に起因するアークによる機器の損傷、変電所火災等の重大事故のポテンシャルを排除することができる引出形回路遮断器及び配電盤を提供することにある。
【課題を解決するための手段】
【００１３】
本発明の引出形回路遮断器は、上記目的を達成するために、主回路の入切をするための主接点と、該主接点を駆動するための駆動装置と、主回路電流を通電するための主回路通電部と、該主回路通電部と配電盤内の主回路とを着脱自在にするための接続部と、引出形回路遮断器を移動するための移動装置と、配電盤内に収納された引出形回路遮断器を所定の位置で固定するためのインターロック装置とを備えた引出形回路遮断器において、
前記インターロック装置は、引出形回路遮断器の引外し機構部と連結した引外しボタンと、昇降自在に配置されたインターロックロッドとを備え、前記インターロックロッドは、該インターロックロッドと一体に構成され、該インターロックロッドを前記引出形回路遮断器の固定位置及び移動可能位置に移動させるインターロックピンを備え、かつ、前記インターロックピンは、前記移動装置に固定されているインターロックピン金具の正面に形成されているコの字形の穴を移動することで、引出形回路遮断器の移動可能位置及び固定位置に移動するものであり、前記引外しボタンを操作して引出形回路遮断器を切状態にしない限り、前記引外しボタンにより機械的に前記インターロックロッドの上昇操作が阻止されることで、配電盤床面若しくは配電盤床面に固定された部材と前記インターロックロッドが機械的に干渉し、配電盤内の所定の位置で前記引出形回路遮断器を固定すると共に、前記インターロックピン金具の正面に形成されているコの字形の穴の上部に前記インターロックロッドが位置しているとき、前記引外しボタンと前記インターロックロッドが機械的に干渉することで前記引外しボタンが常に操作された状態となり、切状態を継続することを特徴とする。
【００１４】
また、本発明の配電盤は、上記目的を達成すために、盤内に設置されている主回路ケーブル主回路導体、主回路母線、主回路端子接続部を備え、前記主回路端子接続部と電気的に着脱自在で、かつ、運転位置及び断路位置に移動可能な引出形回路遮断器を収納している配電盤において、前記引出形回路遮断器は、上記構成の引出形回路遮断器であることを特徴とする。
【発明の効果】
【００２４】
本発明によれば、引出形回路遮断器は運転位置、断路位置で確実に固定され、引出形回路遮断器を運転位置から移動させるときおよび運転位置へ移動させるときは必ず切状態となる。また、引出形回路遮断器が運転位置、断路位置以外に配置しているときは常に切状態を継続する。
【００２５】
これにより、電気回路の電流を投入、遮断するための引出形回路遮断器の配電盤内における適切な位置での固定は勿論、入状態の引出形回路遮断器の振動によるせり出し、誤引出しおよび誤挿入に起因するアークによる機器の損傷、変電所火災等の重大事故のポテンシャルを排除することができる。
【図面の簡単な説明】
【００２６】
【図１】本発明の一実施例によるインターロック装置を搭載した引出形回路遮断器を示す正面図である。
【図２】本発明の一実施例によるインターロック装置を搭載した引出形回路遮断器を示す側面図である。
【図３】本発明の一実施例によるインターロック装置を搭載した引出形回路遮断器を、運転位置に固定した場合を示す配電盤の側面図である。
【図４】本発明の一実施例によるインターロック装置を搭載した引出形回路遮断器を、断路位置に固定した場合を示す配電盤の側面図である。
【図５】本発明の一実施例によるインターロック装置を固定位置に設定した場合のインターロック装置を示す正面図である。
【図６】本発明の一実施例によるインターロックピンを固定位置に設定した状態のインターロック装置を示す平面図である。
【図７】本発明の一実施例によるインターロックピンを固定位置に設定した状態のインターロック装置を示す側面図である。
【図８】本発明の一実施例によるインターロックピンを固定位置に設定し、手動引外しボタンを操作した状態のインターロック装置を示す側面図である。
【図９】本発明の一実施例によるインターロック装置を移動可能位置に設定した状態のインターロック装置を示す正面図である。
【図１０】本発明の一実施例によるインターロック装置を移動可能位置に設定した状態のインターロック装置を示す平面図である。
【図１１】本発明の一実施例によるインターロック装置を移動可能位置に設定した状態のインターロック装置を示す側面図である。
【発明を実施するための形態】
【００２７】
以下、本発明による引出形回路遮断器のインターロック装置の一実施例について、図に基づいて説明する。
【実施例】
【００２８】
図１及び図２に、本発明の一実施例によるインターロック装置を搭載した引出形回路遮断器を示す。
【００２９】
該図における引出形回路遮断器は、主接点、駆動装置を搭載した固定式回路遮断器５０に、上側主回路導体５３及び下側主回路導体５４を備えており、この上側主回路導体５３及び下側主回路導体５４には、配電盤内の主回路と接続するための上側主回路端子５１、下側主回路端子５２が各々接続されている。
【００３０】
固定式回路遮断器５０は、移動装置である車輪３６を備えた台車３４に固定されており、これにより引出可能な引出形回路遮断器としている。また、台車３４には、フレーム３５が取付けられており、そのフレーム３５に正面パネル３０がボルト、ナット等の締結手段により固定されている。
【００３１】
引出形回路遮断器の正面には、手動引外しボタン１、インターロックピン２、インターロックロッド３、移動用把手３１、回数計３２、制御プラグ３３が配置されている。
【００３２】
図３に、引出形回路遮断器を運転位置に固定した場合の配電盤を示す。
【００３３】
該図において、運転位置とは、配電盤主回路と引出形回路遮断器が接続され、引出形回路遮断器が、主回路に適切に電流を通電することができる位置のことを言う。
【００３４】
上述した引出可能な引出形回路遮断器が配電盤内で運転位置に固定されると、配電盤の上側主回路端子接続部６４と引出形回路遮断器の上側主回路端子５１が、また配電盤の下側主回路端子接続部６３と引出形回路遮断器の下側主回路端子５２がそれぞれ電気的に接続し、引出形回路遮断器の入切操作により主回路母線６１、主回路導体６２、下側主回路端子接続部６３、引出形回路遮断器、上側主回路端子接続部６４、電動断路器６６、主回路ケーブル６７から構成される主回路を流れる電流の投入、遮断が可能となる。
【００３５】
また、雷サージ等の過電圧からの主回路保護を目的とした避雷器６９が、手動断路器６８を介して主回路と電気的に接続されており、地絡、短絡故障時の主回路保護を目的としたΔI形計器用変流器６５が主回路導体６２に取付けられている。
【００３６】
図４に、引出形回路遮断器を断路位置に固定した場合の配電盤を示す。
【００３７】
該図において、断路位置とは、配電盤主回路と引出形回路遮断器が、必要な絶縁距離を確保したときの引出形回路遮断器の位置のことを言う。
【００３８】
上述した引出可能な引出形回路遮断器が断路位置に固定されると、配電盤の上側主回路端子接続部６４と引出形回路遮断器の上側主回路端子５１、及び配電盤の下側主回路端子接続部６３と引出形回路遮断器の下側主回路端子５２は切り離されて電気的に絶縁されるため、引出形回路遮断器の入切状態に関わらず、上述した主回路には電流は流れない。
【００３９】
また、上側主回路端子接続部６４と上側主回路端子５１間及び下側主回路端子接続部６３と下側主回路端子５２間には、シャッター７０が下りるため充電部の露出が防止され、人が充電部に触れられない構造となっている。
【００４０】
そのため、引出形回路遮断器は、遮断器または配電盤の点検時や定時運用終了後には、この断路位置に固定されている。
【００４１】
図５乃至７に、本発明のインターロック装置の一実施例を示す。図５乃至７は、インターロックピン２を、後述する引出形回路遮断器の固定位置に設定した場合のインターロック装置を示している。
【００４２】
該図に示す如く、上述した手動引外しボタン１は、固定式回路遮断器５０の手動引外し機構部と連結している手動引外しロッド１０と機械的に連結しており、この手動引外しボタン１を正面から押し込むと、手動引外しロッド１０が固定式回路遮断器５０の手動引外し機構部を動作させ、遮断器は切状態となる。
【００４３】
また、インターロックピン２は、インターロックロッド３に取付けられており、台車３４に固定されているインターロックピン金具５の正面中央にあるコの字形の穴（このコの字形の穴は、外部から見えるようになっている）の内部を移動することで、引出形回路遮断器の移動可能位置及び固定位置に移動することができる。
【００４４】
インターロックロッド３は丸棒で、インターロックピン金具５、台車３４、インターロックロッド固定金具１１にあけられた円形の穴を通過し、前後左右方向へは変位せず、昇降及び回転自在な構造であるが、インターロックピン金具５の正面中央のコの字形の穴と、インターロックピン２及びインターロックロッド３と手動引外しボタン１の干渉によって、可動範囲が制限されている。
【００４５】
インターロックピン２をインターロックピン金具５の正面中央にあるコの字形の穴の内部を移動して移動可能位置に設定した場合、インターロックロッド３は上方に、インターロックピン２をインターロックピン金具５の正面中央にあるコの字形の穴の内部を移動して固定位置に設定した場合、インターロックロッド３は下方に位置される。
【００４６】
引出形回路遮断器を運転位置若しくは断路位置に配置してインターロックピン２を固定位置に設定した状態では、インターロックロッド３の下端部が、配電盤の床面に取付けられた複数個の遮断器固定用金具５５の間で形成された空間に入ることで両者が干渉するため、引出形回路遮断器は、運転位置若しくは断路位置から動かすことができず、固定される。
【００４７】
インターロックピン２を、インターロックピン金具５の正面中央にあるコの字形の穴の内部を移動して固定位置に設定すると、インターロックロッド３は、手動引外しボタン１よりも下方に位置するため、手動引外しボタン１とインターロックロッド３は干渉せず、手動引外しボタン１を自由に操作することができる。
【００４８】
図８に、手動引外しボタン１を操作した状態のインターロック装置を示す。
【００４９】
インターロックピン２を固定位置に設定し、手動引外しボタン１を操作しない状態だと、インターロックロッド３と手動引外しボタン１が干渉するため、インターロックロッド３の上昇操作は阻止される。
【００５０】
そこで、インターロックピン２を移動可能位置に設定、つまりインターロックロッド３の上昇操作をするためには、手動引外しボタン１を正面から押し込み、手動引外しボタン１とインターロックロッド３と干渉しないようにする必要がある。
【００５１】
このとき、手動引外しボタン１が操作されるため、引出形回路遮断器を移動させるためには必ず切動作を行うこととなる。
【００５２】
また、引出形回路遮断器を運転位置に挿入するとき及び運転位置から引出すときには、出し入れハンドル挿入口９に出し入れハンドルを挿入し、出し入れハンドル用金具７に出し入れハンドルを引っ掛ける必要がある。
【００５３】
インターロックピン２を固定位置に設定すると、インターロックロッド３に取付けられた金具８に出し入れハンドルが干渉するため、出し入れハンドルを出し入れハンドル用金具7に引っ掛けることができず、引出形回路遮断器の運転位置への挿入及び運転位置からの引出しが不可能になっている。
【００５４】
図９乃至１１は、インターロックピン２を、引出形回路遮断器の移動可能位置に設定した場合のインターロック装置を示している。
【００５５】
該図に示す如く、インターロックピン２を、インターロックピン金具５の正面中央にあるコの字形の穴の内部を移動して移動可能位置に設定すると、インターロックロッド３は上方に位置される。
【００５６】
引出形回路遮断器が運転位置、断路位置に位置しているとき以外は、遮断器固定用金具５５とインターロックロッド３の干渉により、インターロックピン２を固定位置に設定することはできない。
【００５７】
この状態、即ち、インターロックピン２を移動可能位置に設定した状態では、手動引外しボタン１は、インターロックロッド３と干渉するため、常に押し込まれた状態を継続する。つまり、常に固定式回路遮断器５０の手動引外し機構部へ手動引外し指令が与えられることになり、引出形回路遮断器は常に切状態となる。
【００５８】
インターロックピン２を移動可能位置に設定した状態では、インターロックロッド３と配電盤の床面に取付けられた遮断器固定用金具５５が干渉しないため、引出形回路遮断器は自由に移動させることができる。
【００５９】
また、インターロックピン２を固定位置に設定した場合は、前述のように、出し入れハンドル用金具７に出し入れハンドルを引っ掛けることが不可能であったが、インターロックピン２を移動可能位置に設定すると、インターロックロッド３に取付けられた金具８もインターロックロッド３と一緒に上方へ移動するため、出し入れハンドルと金具８は干渉せず、引出形回路遮断器の運転位置への挿入および運転位置からの引出しが可能である。
【００６０】
以上により、引出形回路遮断器は、配電盤内では運転位置、断路位置で確実に固定され、運転位置から引出形回路遮断器を移動させるとき、及び運転位置へ引出形回路遮断器を移動させるときは必ず切状態となる。
【００６１】
また、引出形回路遮断器が運転位置、断路位置以外に配置しているときは、入切操作が不可能、かつ切状態を継続する。
【００６２】
これにより、電気回路の電流を投入、遮断するための引出形回路遮断器の配電盤内における適切な位置での固定は勿論、入状態の引出形回路遮断器の振動によるせり出し、誤引出しおよび誤挿入に起因するアークによる機器の損傷、変電所火災等の重大事故のポテンシャルを排除することができる。
【符号の説明】
【００６３】
１…手動引外しボタン、２…インターロックピン、３…インターロックロッド、４…金具、５…インターロックピン金具、６…リミットスイッチ、７…出し入れハンドル用金具、８…金具、９…出し入れハンドル挿入口、１０…手動引外しロッド、１１…インターロックロッド固定金具、１２…ばね、３０…正面パネル３１…移動用把手、３２…回数計、３３…制御プラグ３４…台車、３５…フレーム、３６…車輪、５０…固定式回路遮断器、５１…上側主回路端子、５２…下側主回路端子、５３…上側主回路導体、５４…下側主回路導体、５５…遮断器固定用金具、６１…主回路母線、６２…主回路導体、６３…下側主回路端子接続部、６４…上側主回路端子接続部、６５…ΔI形計器用変流器、６６…電動断路器、６７…主回路ケーブル、６８…手動断路器、６９…避雷器、７０…シャッター。
【図１】
0005364118.tif 000002
【図２】
0005364118.tif 000003
【図３】
0005364118.tif 000004
【図４】
0005364118.tif 000005
【図５】
0005364118.tif 000006
【図６】
0005364118.tif 000007
【図７】
0005364118.tif 000008
【図８】
0005364118.tif 000009
【図９】
0005364118.tif 000010
【図１０】
0005364118.tif 000011
【図１１】
0005364118.tif 000012